(57)【要約】【課題】年月を経ても断熱性能を良好に維持することができる自動販売機を提供すること。【解決手段】筐体４の内壁面に複数の断熱材１２，１３，１４，１５を配設した自動販売機１において、断熱材１２，１３，１４，１５の伸縮力に抗する態様で、断熱材１２，１３，１４，１５の一端部と他端部とを筐体の内壁面に取り付けたので、環境温度による断熱材１２，１３，１４，１５の伸縮と、経年による断熱材１２，１３，１４，１５の収縮を抑制し、年月を経ても断熱性能を良好に維持することができ、自動販売機を廃棄する場合には、断熱材のリサイクルに資することができる。【選択図】        図３
2005085034.tif 000002
【特許請求の範囲】
【請求項１】
筐体の内壁面に複数の断熱材を配設した自動販売機において、
前記断熱材の伸縮力に抗する態様で、前記断熱材の一端部と他端部とを筐体の内壁面に取り付けたことを特徴とする自動販売機。
【発明の詳細な説明】
【技術分野】
【０００１】
本発明は、自動販売機に関し、特に、断熱性能を良好に維持する自動販売機に関するものである。
【背景技術】
【０００２】
パテなどのシール材を用いることなく、筐体の内側面に断熱材を配設し、断熱性能を良好に維持する自動販売機が提案されている。この自動販売機は、天板と、左右両側板と、背板と、底板とから構成した筐体の内壁面に配設した断熱材の端面にツバ部を延出し、このツバ部が断熱材相互の隙間を埋めることにより、断熱性能を良好に維持するものである（特許文献１参照）。
【０００３】
ところで、この断熱材は、薄板鋼板上に断熱性能を有する発泡体を一体に形成し、この発泡体の表面をポリエチレンシートで被覆したものであり、その寸法安定性は主として薄板鋼板に依存する。
【０００４】
【特許文献１】特開２００３−５１０６０号公報
【発明の開示】
【発明が解決しようとする課題】
【０００５】
しかしながら、薄板鋼板と発泡体とを一体に形成した断熱材は、薄板鋼板と発泡体との分離が困難であり、リサイクルに適していない。一方、薄板鋼板を一体に形成することなく、発泡体の表面をポリエチレンシートで被覆した断熱材は、経年変化により縮小するので、断熱材相互の隙間は除々に拡がり、年月を経るとツバ部を延出した断熱材を配設した自動販売機であっても断熱性能を良好に維持できない。
【０００６】
本発明は、上記実情に鑑みて、薄板鋼板を一体に形成することなく、年月を経ても断熱性能を良好に維持することができる自動販売機を提供することを目的とする。
【課題を解決するための手段】
【０００７】
上記の目的を達成するために、本発明の請求項１に係る自動販売機は、筐体の内壁面に複数の断熱材を配設した自動販売機において、前記断熱材の伸縮力に抗する態様で、前記断熱材の一端部と他端部とを筐体の内壁面に取り付けたことを特徴とする。
【発明の効果】
【０００８】
本発明にかかる自動販売機は、断熱材の伸縮力に抗する態様で、断熱材の一端部と他端部とを筐体の内壁面に取り付けたので、環境温度による断熱材の伸縮と、経年による断熱材の収縮とを抑制できるという効果を奏する。
【発明を実施するための最良の形態】
【０００９】
以下に添付図面を参照して、本発明に係る自動販売機の好適な実施例を詳細に説明する。なお、この実施例によりこの発明が限定されるものではない。
【実施例１】
【００１０】
まず、本発明にかかる自動販売機の実施例１について説明する。なお、図１は、本発明にかかる自動販売機の実施例１の本体キャビネットを示す斜視図、図２は、図１に示した本体キャビネットのＡ−Ａ−Ａ断面図、図３は、図１に示した本体キャビネットの分解斜視図である。
【００１１】
実施例１の自動販売機１は、本体キャビネット２と、本体キャビネット２の前面開口部を閉塞する外扉３（図２参照）とを備えている。本体キャビネット２は、外箱４を有している。外箱４は、天板５と、左右側板６と、基台７と、背板８とを組み合わせて、略直方体に形成してある。また、外箱４の内部には、底板９が配設してあり、外箱４の内部を上部域と下部域とに画成してある。外箱の上部域は販売する商品を収容する収容室１０となり、下部域は収容室の商品を冷却する冷却ユニット（図示せず）を配設する機械室１１となる。
【００１２】
収容室１０の内壁面は、底面断熱材１２と、天面断熱材１３と、背面断熱材１４と、側面断熱材１５とにより、囲繞してある。これらの断熱材１２，１３，１４，１５は、発泡ウレタン樹脂等の硬質発泡体により形成してあり、その表面はポリエチレンシートまたはクラフト紙等の防湿材（図示せず）で被覆してある。
【００１３】
底面断熱材１２、天面断熱材１３、背面断熱材１４、側面断熱材１５は、それぞれ、底板９、天板５、背板８、左右側板６の内壁面に取り付けてある。より具体的には、各板９，５，８，６の内壁面側の４隅部に起立して設けた円柱形状の取付部１６に、各断熱材の４隅部（一端部と他端部）に形成した装着孔１７を装着し、各板９，５，８，６に対して各断熱材１２，１３，１４，１５が僅かに離隔して取り付けてある。
【００１４】
このため、各板９，５，８，６と各断熱材１２，１３，１４，１５との間には空気層が介在し、各板９，５，８，６と各断熱材１２，１３，１４，１５とを密着させた場合よりも優れた断熱性能を発揮する。
【００１５】
なお、各板９，５，８，６に設けた取付部１６のピッチと各断熱材１２，１３，１４，１５に形成した装着孔１７のピッチとは、同一であり、取付部１６の径と装着孔１７の径とは、ほぼ同一である。また、取付部１６は、各断熱材１２，１３，１４，１５の厚みとほぼ同一の高さを有している。
【００１６】
さらに、底面断熱材１２と、天面断熱材１３とは、底板９の投影面の面積とほぼ同一の面積を有し、背面断熱材１４は、底面断熱材１２と天面断熱材１３を取り付けた場合に露出する背板８の内壁面とほぼ同一の面積を有している。また、側面断熱材１５は、底面断熱材１２、天面断熱材１３、背面断熱材１４を取り付けた場合に、露出する側板６の内壁面とほぼ同一の面積を有している。
【００１７】
以上のように構成した実施例１にかかる自動販売機１の本体キャビネット２は、図３に示すように、底面断熱材１２、天面断熱材１３、背面断熱材１４、側面断熱材１５の順番に外箱４、すなわち、各板９，５，８，６の内壁面に組み付けて、断熱筐体を構成する。
【００１８】
実施例１にかかる自動販売機１によれば、本体キャビネット２が気密性を有し、自動販売機１の外部の熱を遮断し、収容室１０の内部を所望の温度に維持できる。また、外部環境（たとえば、自動販売機１の設置場所の温度）、または自動販売機１の稼働環境（たとえば、商品の加温、商品の冷却の別）によって、本来、各断熱材１２，１３，１４，１５が伸縮する場合であっても、各断熱材１２，１３，１４，１５は取付部１６の相互間（一端部と他端部との間）で断熱材の伸縮力に抗して規制される。一方、取付部１６で規制されていない自由端の伸縮は、小さく、本体キャビネット２の気密性を損なうことはない。
【００１９】
また、自動販売機１が設置されてから数年が経過した場合であっても、経年変化に伴う各断熱材１２，１３，１４，１５の収縮は、取付部１６の相互間で断熱材の伸縮力に抗して規制される。一方、取付部１６で規制されていない自由端の収縮は小さく、本体キャビネット２の気密性を損なうことはないので、経年変化によって断熱性能が劣化することもない。
【００２０】
さらに、自動販売機１を廃棄する場合には、外箱４から各断熱材１２，１３，１４，１５を簡単に取り外すことができるので、リサイクルにも資する。
【実施例２】
【００２１】
次に、本発明にかかる自動販売機の実施例２について説明する。なお、図４は、本発明にかかる自動販売機の実施例２の本体キャビネットを示す斜視図、図５は、図４に示した本体キャビネットのＢ−Ｂ−Ｂ断面図、図６は、図４に示した本体キャビネットの分解斜視図である。
【００２２】
実施例２の自動販売機２１は、実施例１にかかる自動販売機と同様に、本体キャビネット２２と、本体キャビネット２２の前面開口部を閉塞する外扉２３（図５参照）とを備えている。本体キャビネット２２は、外箱２４を有している。外箱２４は、天板２５と、左右側板２６と、基台２７と、背板２８とを組み合わせて、略直方体に形成してある。また、外箱２４の内部には、底板２９が配設してあり、外箱２４の内部を上部域と下部域とに画成してある。外箱２４の上部域は販売する商品を収容する収容室３０となり、下部域は収容室の商品を冷却する冷却ユニット（図示せず）を配設する機械室３１となる。
【００２３】
収容室３０の内壁面は、底面断熱材３２と、天面断熱材３３と、背面断熱材３４と、側面断熱材３５とにより、囲繞してある。これらの断熱材３２，３３，３４，３５は、発泡ウレタン樹脂等の硬質発泡体により形成してあり、その表面はポリエチレンシートまたはクラフト紙等の防湿材（図示せず）で被覆してある。
【００２４】
底面断熱材３２、天面断熱材３３、背面断熱材３４、側面断熱材３５は、それぞれ、底板２９、天板２５、背板２８、左右側板２６の内壁面に取り付けてある。より具体的には、各板２９，２５，２８，２６の内壁面の短手方向縁部に起立して設けた取付部３６に、各断熱材３２，３３，３４，３５を刺し込んで、各板２９，２５，２８，２６に対して各断熱材３２，３３，３４，３５が僅かに離隔して取り付けてある。
【００２５】
このため、各板２９，２５，２８，２６と各断熱材３２，３３，３４，３５との間には空気層が介在し、各板２９，２５，２８，２６と各断熱材３２，３３，３４，３５とを密着させた場合よりも優れた断熱性能を発揮する。
【００２６】
なお、各板２９，２５，２８，２６に設けた取付部３６は、先端を鋭角に形成した鋸歯状の刃を有している。また、取付部３６は、各断熱材３２，３３，３４，３５を固定するのに十分な高さを有している。
【００２７】
さらに、底面断熱材３２と、天面断熱材３３とは、底板２９の投影面の面積とほぼ同一の面積を有し、背面断熱材３４は、底面断熱材３２と天面断熱材３３を取り付けた場合に露出する背板２８の内壁面とほぼ同一の面積を有している。また、側面断熱材３５は、底面断熱材３２、天面断熱材３３、背面断熱材３４を取り付けた場合に、露出する側板２６の内壁面とほぼ同一の面積を有している。
【００２８】
以上のように構成した実施例２にかかる自動販売機２１の本体キャビネット２２は、図６に示すように、底面断熱材３２、天面断熱材３３、背面断熱材３４、側面断熱材３５の順番に外箱２４、すなわち、各板２９，２５，２８，２６の内壁面に組み付けて、断熱筐体を構成する。
【００２９】
実施例２にかかる自動販売機２１によれば、本体キャビネット２２が気密性を有し、自動販売機２１の外部の熱を遮断し、収容室３０の内部を所望の温度に維持できる。また、外部環境（たとえば、自動販売機２１の設置場所の温度）、または自動販売機２１の稼働環境（たとえば、商品の加温、商品の冷却の別）によって、本来、各断熱材３２，３３，３４，３５が伸縮する場合であっても、各断熱材３２，３３，３４，３５は取付部３６の相互間（一端部と他端部との間）で断熱材の伸縮力に抗して規制される。一方、取付部３６で規制されていない自由端の伸縮は、小さく、本体キャビネット２２の気密性を損なうことはない。
【００３０】
また、自動販売機２１が設置されてから数年が経過した場合であっても、経年変化に伴う各断熱材３２，３３，３４，３５の収縮は、取付部３６の相互間で断熱材の伸縮力に抗して規制される。一方、取付部３６で規制されていない自由端の収縮は小さく、本体キャビネット２２の気密性を損なうことはないので、経年変化によって断熱性能が劣化することもない。
【００３１】
さらに、各断熱材３２，３３，３４，３５に装着孔を形成することなく、各断熱材３２，３３，３４，３５を装着できる。また、自動販売機２１を廃棄する場合には、外箱２４から各断熱材３２，３３，３４，３５を簡単に取り外すことができるので、リサイクルにも資する。
【実施例３】
【００３２】
次に、本発明にかかる自動販売機の実施例３について説明する。なお、図７は、本発明にかかる自動販売機の実施例３の本体キャビネットを示す斜視図、図８は、図７に示した本体キャビネットのＣ−Ｃ−Ｃ断面図、図９は、図７に示した本体キャビネットの分解斜視図である。
【００３３】
実施例３の自動販売機４１は、実施例１にかかる自動販売機と同様に、本体キャビネット４２と、本体キャビネット４２の前面開口部を閉塞する外扉４３（図８参照）とを備えている。本体キャビネット４２は、外箱４４を有している。外箱４４は、天板４５と、左右側板４６と、基台４７と、背板４８とを組み合わせて、略直方体に形成してある。また、外箱４４の内部には、底板４９が配設してあり、外箱４４の内部を上部域と下部域とに画成してある。外箱４４の上部域は販売する商品を収容する収容室５０となり、下部域は収容室の商品を冷却する冷却ユニット（図示せず）を配設する機械室５１となる。
【００３４】
収容室５０の内壁面は、底面断熱材５２と、天面断熱材５３と、背面断熱材５４と、側面断熱材５５とにより、囲繞してある。これらの断熱材５２，５３，５４，５５は、発泡ウレタン樹脂等の硬質発泡体により形成してあり、その表面はポリエチレンシートまたはクラフト紙等の防湿材（図示せず）で被覆してある。
【００３５】
底面断熱材５２、天面断熱材５３、背面断熱材５４、側面断熱材５５は、それぞれ、底板４９、天板４５、背板４８、左右側板４６の内壁面に取り付けてある。より具体的には、各板４９，４５，４８，４６の内壁面の短手方向縁部に起立して設けた断面コの字状の取付部５６に、各断熱材５２，５３，５４，５５の短手方向縁部（一端部と他端部）に形成した装着溝５７を差し込んで、各板４９，４５，４８，４６に対して各断熱材５２，５３，５４，５５が僅かに離隔して取り付けてある。
【００３６】
このため、各板４９，４５，４８，４６と各断熱材５２，５３，５４，５５との間には空気層が介在し、各板４９，４５，４８，４６と各断熱材５２，５３，５４，５５とを密着させた場合よりも優れた断熱性能を発揮する。
【００３７】
なお、各板４９，４５，４８，４６に設けた取付部５６の高さは、各断熱材５２，５３，５４，５５を固定するのに十分な高さ、たとえば、断熱材５２，５３，５４，５５の厚みのほぼ半分の高さを有する。
【００３８】
さらに、底面断熱材５２と、天面断熱材５３とは、底板４９の面積とほぼ同一の面積を有し、背面断熱材５４は、底面断熱材５２と天面断熱材５３を取り付けた場合に露出する背板４８の内壁面とほぼ同一の面積を有している。また、側面断熱材５５は、底面断熱材５２、天面断熱材５３、背面断熱材５４を取り付けた場合に、露出する側板４６の内壁面とほぼ同一の面積を有している。
【００３９】
以上のように構成した実施例３にかかる自動販売機４１の本体キャビネット４２は、底面断熱材５２、天面断熱材５３、背面断熱材５４、側面断熱材５５の順番に外箱４４、すなわち、各板４９，４５，４８，４６の内壁面に組み付けて、断熱筐体を構成する。
【００４０】
実施例３にかかる自動販売機４１によれば、本体キャビネット４２が気密性を有し、自動販売機４１の外部の熱を遮断し、収容室５０の内部を所望の温度に維持できる。また、外部環境（たとえば、自動販売機４１の設置場所の温度）、または自動販売機４１の稼働環境（たとえば、商品の加温、商品の冷却の別）によって、本来、各断熱材５２，５３，５４，５５が伸縮する場合であっても、各断熱材５２，５３，５４，５５は取付部５６の相互間（一端部と他端部との間）で断熱材の伸縮力に抗して規制される。一方、取付部５６で規制されていない自由端の伸縮は、小さく、本体キャビネット４２の気密性を損なうことはない。
【００４１】
また、自動販売機４１が設置されてから数年が経過した場合であっても、経年変化に伴う各断熱材５２，５３，５４，５５の収縮は、取付部５６の相互間で断熱材の伸縮力に抗して規制される。一方、取付部５６で規制されていない自由端の収縮は小さく、本体キャビネット４２の気密性を損なうことはないので、経年変化によって断熱性能が劣化することもない。
【００４２】
さらに、自動販売機４１を廃棄する場合には、外箱４４から各断熱材５２，５３，５４，５５を簡単に取り外すことができるので、リサイクルにも資する。
【実施例４】
【００４３】
次に、本発明にかかる自動販売機の実施例４について説明する。なお、図１０は、本発明にかかる自動販売機の実施例４の本体キャビネットを示す斜視図、図１１は、図１０に示した本体キャビネットの分解斜視図である。
【００４４】
実施例４の自動販売機６１は、実施例１にかかる自動販売機と同様に、本体キャビネット６２と、本体キャビネット６２の前面開口部を閉塞する外扉（図示せず）とを備えている。本体キャビネット６２は、外箱６４を有している。外箱６４は、天板６５と、左右側板６６と、基台６７と、背板６８とを組み合わせて、略直方体に形成してある。また、外箱６４の内部には、底板６９が配設してあり、外箱６４の内部を上部域と下部域とに画成してある。外箱６４の上部域は販売する商品を収容する収容室７０となり、下部域は収容室の商品を冷却する冷却ユニット（図示せず）を配設する機械室７１となる。
【００４５】
収容室７０の内壁面は、底面断熱材７２と、天面断熱材７３と、背面断熱材７４と、側面断熱材７５とにより、囲繞してある。これらの断熱材７２，７３，７４，７５は、発泡ウレタン樹脂等の硬質発泡体により形成してあり、その表面はポリエチレンシートまたはクラフト紙等の防湿材（図示せず）で被覆してある。
【００４６】
底面断熱材７２、天面断熱材７３、背面断熱材７４、側面断熱材７５は、それぞれ、底板６９、天板６５、背板６８、左右側板６６の内壁面に取り付けてある。より具体的には、相互に隣り合う断熱材７２，７３，７４，７５に断面Ｍ字状の取付具７６を刺し込んで一体化した後に、取付具７６を各板６９，６５，６８，６６の内壁面の短手方向縁部に起立して設けた取付部７７に取り付けてある。なお、各板６９，６５，６８，６６に対して各断熱材７２，７３，７４，７５が僅かに離隔して取り付けてある。
【００４７】
このため、各板６９，６５，６８，６６と各断熱材７２，７３，７４，７５との間には空気層が介在し、各板６９，６５，６８，６６と各断熱材７２，７３，７４，７５とを密着させた場合よりも優れた断熱性能を発揮する。
【００４８】
なお、取付具７６は、脚部に鋭角に形成した鋸歯状の刃を有している。また、取付具７６の刃の長さは、各断熱材７２，７３，７４，７５を固定するのに十分な長さを有する。
【００４９】
さらに、底面断熱材７２と、天面断熱材７３とは、底板６９の面積とほぼ同一の面積を有し、背面断熱材７４は、底面断熱材７２と天面断熱材７３とを取り付けた場合に露出する背板６８の内壁面とほぼ同一の面積を有している。また、側面断熱材７５は、底面断熱材７２、天面断熱材７３、背面断熱材７４を取り付けた場合に、露出する側板６６の内壁面とほぼ同一の面積を有している。
【００５０】
以上のように構成した実施例４にかかる自動販売機６１の本体キャビネット６２は、底面断熱材７２、天面断熱材７３、背面断熱材７４、側面断熱材７５の順番に外箱６４、すなわち、各板６９，６５，６８，６６の内壁面に組み付けて、断熱筐体を構成する。
【００５１】
実施例４にかかる自動販売機６１によれば、本体キャビネット６２が気密性を有し、自動販売機６１の外部の熱を遮断し、収容室７０の内部を所望の温度に維持できる。また、外部環境（たとえば、自動販売機６１の設置場所の温度）、または自動販売機６１の稼働環境（たとえば、商品の加温、商品の冷却の別）によって、本来、各断熱材７２，７３，７４，７５が伸縮する場合であっても、各断熱材７２，７３，７４，７５は取付具７６の相互間（一端部と他端部との間）で断熱材の伸縮力に抗して規制される。一方、取付具７６で規制されていない自由端の伸縮は、小さく、本体キャビネット６２の気密性を損なうことはない。
【００５２】
また、自動販売機６１が設置されてから数年が経過した場合であっても、経年変化に伴う各断熱材７２，７３，７４，７５の収縮は、取付具７６の相互間で断熱材の伸縮力に抗して規制される。一方、取付具７６で規制されていない自由端の収縮は小さく、本体キャビネット６２の気密性を損なうことはないので、経年変化によって断熱性能が劣化することもない。
【００５３】
さらに、各断熱材７２，７３，７４，７５に装着孔を形成することなく、各断熱材７２，７３，７４，７５を装着できる。また、隣り合う断熱材７２，７３，７４，７５の継ぎ目部分は、取付具７６で覆われるので、空気の流通を阻止できる。くわえて、自動販売機６１を廃棄する場合には、外箱６４から各断熱材７２，７３，７４，７５を簡単に取り外すことができるので、リサイクルにも資する。
【実施例５】
【００５４】
次に、本発明にかかる自動販売機の実施例５について説明する。なお、図１２は、本発明にかかる自動販売機の実施例５の本体キャビネットを示す斜視図、図１３は、図１２に示した自動販売機の本体キャビネットの分解斜視図である。
【００５５】
実施例５の自動販売機８１は、実施例１にかかる自動販売機と同様に、本体キャビネット８２と、本体キャビネット８２の前面開口部を閉塞する外扉（図示せず）とを備えている。本体キャビネット８２は、外箱８４を有している。外箱８４は、天板８５と、左右側板８６と、基台８７と、背板８８とを組み合わせて、略直方体に形成してある。また、外箱８４の内部には、底板８９が配設してあり、外箱８４の内部を上部域と下部域とに画成してある。外箱８４の上部域は販売する商品を収容する収容室９０となり、下部域は収容室の商品を冷却する冷却ユニット（図示せず）を配設する機械室９１となる。
【００５６】
収容室９０の内壁面は、底面断熱材９２と、天面断熱材９３と、背面断熱材９４と、側面断熱材９５とにより、囲繞してある。これらの断熱材９２，９３，９４，９５は、発泡ウレタン樹脂等の硬質発泡体により形成してあり、その表面はポリエチレンシートまたはクラフト紙等の防湿材（図示せず）で被覆してある。
【００５７】
底面断熱材９２、天面断熱材９３、背面断熱材９４、側面断熱材９５は、それぞれ、底板８９、天板８５、背板８８、左右側板８６の内壁面から僅かに離隔させて取り付けてある。
【００５８】
このため、各板８９，８５，８８，８６と各断熱材９２，９３，９４，９５との間には空気層が介在し、各板８９，８５，８８，８６と各断熱材９２，９３，９４，９５とを密着させた場合よりも優れた断熱性能を発揮する。
【００５９】
各断熱材９２，９３，９４，９５の短手方向縁部（一端部と他端部）には、断面コの字状の凹溝が形成してある。各断熱材９２，９３，９４，９５は取付具９６によって相互に連結してある。取付具９６は、断面Ｌ字状に形成してあり、その縁部には断熱材の凹溝に嵌り、各断熱材９２，９３，９４，９５を相互に連結する凸部が形成してある。
【００６０】
取付具９６は、各板８９，８５，８８，８６の短手方向縁部に起立して設けた取付部９７に取り付けてある。底板８９、天板８５、側板８８から起立した取付部９７は断面Ｌ字状に形成してあり、背板８８から起立した取付部９７は手前側に延出して形成してある。この取付部９７と取付具９６とはネジにより締結してある。
【００６１】
底面断熱材９２と、天面断熱材９３とは、底板８９の面積とほぼ同一の面積を有し、背面断熱材９４は、底面断熱材９２と天面断熱材９３を取り付けた場合に露出する背板８８の内壁面とほぼ同一の面積を有している。また、側面断熱材９５は、底面断熱材９２、天面断熱材９３、背面断熱材９４を取り付けた場合に、露出する側板８６の内壁面とほぼ同一の面積を有している。
【００６２】
以上のように構成した実施例５にかかる自動販売機８１の本体キャビネット８２は、底面断熱材９２、天面断熱材９３、背面断熱材９４、側面断熱材９５の順番に外箱８４、すなわち、各板８９，８５，８８，８６の内壁面に組み付けて、断熱筐体を構成する。
【００６３】
実施例５にかかる自動販売機８１によれば、本体キャビネット８２が気密性を有し、自動販売機８１の外部の熱を遮断し、収容室９０の内部を所望の温度に維持できる。また、外部環境（たとえば自動販売機８１の設置場所の温度）、または自動販売機８１の稼働環境（たとえば、商品の加温、商品の冷却の別）によって、本来、各断熱材９２，９３，９４，９５が伸縮する場合であっても、各断熱材９２，９３，９４，９５は取付具９６の相互間（一端部と他端部との間）で断熱材の伸縮力に抗して規制される。一方、取付具９６で規制されていない自由端の伸縮は、小さく、本体キャビネット８２の気密性を損なうことはない。
【００６４】
また、自動販売機８１が設置されてから数年が経過した場合であっても、経年変化に伴う各断熱材９２，９３，９４，９５の収縮は、取付具９６の相互間で断熱材の伸縮力に抗して規制される。一方、取付具９６で規制されていない自由端の収縮は小さく、本体キャビネット８２の気密性を損なうことはないので、経年変化によって断熱性能が劣化することもない。
【００６５】
さらに、隣り合う断熱材９２，９３，９４，９５の継ぎ目部分は、取付具９６で覆われるので、空気の流通を阻止できる。また、自動販売機８１を廃棄する場合には、外箱８４から各断熱材９２，９３，９４，９５を簡単に取り外すことができるので、リサイクルにも資する。
【産業上の利用可能性】
【００６６】
以上のように、本発明にかかる自動販売機は、リサイクルに有用であり、特に、缶飲料商品を販売する自動販売機に適している。
【図面の簡単な説明】
【００６７】
【図１】本発明にかかる自動販売機の実施例１の本体キャビネットを示す斜視図である。
【図２】図１に示した本体キャビネットのＡ−Ａ−Ａ断面図である。
【図３】図１に示した本体キャビネットの分解斜視図である。
【図４】本発明にかかる自動販売機の実施例２の本体キャビネットを示す斜視図である。
【図５】図４に示した本体キャビネットのＢ−Ｂ−Ｂ断面図である。
【図６】図４に示した本体キャビネットの分解斜視図である。
【図７】本発明にかかる自動販売機の実施例３の本体キャビネットを示す斜視図である。
【図８】図７に示した本体キャビネットのＣ−Ｃ−Ｃ断面図である。
【図９】図７に示した本体キャビネットの分解斜視図である。
【図１０】本発明にかかる自動販売機の実施例４の本体キャビネットを示す斜視図である。
【図１１】図１０に示した本体キャビネットの分解斜視図である。
【図１２】本発明にかかる自動販売機の実施例５の本体キャビネットを示す斜視図である。
【図１３】図１２に示した自動販売機の本体キャビネットの分解斜視図である。
【符号の説明】
【００６８】
１，２１，４１，６１，８１    自動販売機
２，２２，４２，６２，８２    本体キャビネット
３，２３，４３                外扉
４，２４，４４，６４，８４    外箱
５，２５，４５，６５，８５    天板
６，２６，４６，６６，８６    側板
７，２７，４７，６７，８７    基台
８，２８，４８，６８，８８    背板
９，２９，４９，６９，８９    底板
１０，３０，５０，７０，９０    収容室
１１，３１，５１，７１，９１    機械室
１２，３２，５２，７２，９２    底面断熱材
１３，３３，５３，７３，９３    天面断熱材
１４，３４，５４，７４，９４    背面断熱材
１５，３５，５５，７５，９５    側面断熱材
１６，３６，５６，７７，９７    取付部
１７                            装着孔
５７                            装着溝
７６，９６                      取付具
【図１】
2005085034.tif 000003
【図２】
2005085034.tif 000004
【図３】
2005085034.tif 000005
【図４】
2005085034.tif 000006
【図５】
2005085034.tif 000007
【図６】
2005085034.tif 000008
【図７】
2005085034.tif 000009
【図８】
2005085034.tif 000010
【図９】
2005085034.tif 000011
【図１０】
2005085034.tif 000012
【図１１】
2005085034.tif 000013
【図１２】
2005085034.tif 000014
【図１３】
2005085034.tif 000015